(57)【要約】      （修正有）【課題】画像情報に対し軽量、簡素な処理で、高精度な質感表現及び光源表現を実現できる画像情報処理技術を提供する。【解決手段】特定物品画像に、所望の画像情報を重ねあわせて表示する画像情報処理装置である。特定物品画像から物品本体部分を透過させ背景のみの第一レイヤーを作製し、物品画像における本体色から所定の範囲までの色域範囲選択を行い、選択した色域範囲を反転させた第二レイヤーを作製し、第二レイヤーを所定の明るさ及びコントラストに色調補正して色調補正レイヤーを作製し、第二レイヤーと色調補正レイヤーを結合して結合レイヤーを作製し、結合レイヤーにおける第二レイヤーの透明度を所定割合の透明度にして透明度補正レイヤーを作製し、透明度補正レイヤーにおける第二レイヤーの上から第一レイヤーを敷いて加工後テンプレートを作製し、加工後テンプレートを所望の画像情報に加算合成して合成後画像情報を作製する。【選択図】図１
2019139269.tif 000002
【特許請求の範囲】
【請求項１】
特定の物品についての画像情報に、所望の画像情報を重ねあわせて表示する画像情報処理装置であって、
特定の物品の元の画像情報から前記物品の本体部分を透過させて背景のみについての第一のレイヤーを作製する第一レイヤー作製処理部と、
前記物品の元の画像情報における前記物品の本体色から所定の範囲までの色域範囲選択を行い、更に、当該選択した色域範囲を反転させてコピーした第二のレイヤーを作製する第二レイヤー作製処理部と、
前記第二のレイヤーを、所定の明るさ及び、所定のコントラストに色調補正して色調補正レイヤーを作製する色調補正レイヤー作製処理部と、
前記第二のレイヤーと、前記色調補正レイヤーとを結合して結合レイヤーを作製する結合レイヤー作製処理部と、
前記結合レイヤーにおける前記第二のレイヤーの透明度を所定割合の透明度にして透明度補正レイヤーを作製する透明度補正レイヤー作製処理部と、
前記透明度補正レイヤーにおける前記第二のレイヤーの上から前記第一のレイヤーを敷いて加工後テンプレートを作成する加工後テンプレート作製処理部と、
前記加工後テンプレートを、前記所望の画像情報に加算合成して合成後画像情報を作製する合成後画像情報作製処理部と
を備えている画像情報処理装置。
【請求項２】
前記第二レイヤー作製処理部は、前記本体部分からサンプリングした本体色からＲ／Ｇ／Ｂそれぞれのチャンネルについて特定の誤差の範囲の色を持つ部分を選択する請求項１記載の画像情報処理装置。
【請求項３】
前記色調補正レイヤー作製処理部は、色調値を減少させシャドウ部分を広げる処理、又は、色調値の範囲全体を拡張する処理を行う請求項１記載の画像情報処理装置。
【請求項４】
前記透明度補正レイヤー作製処理部は、前記結合レイヤーにおける前記第二の全ピクセルに対してあらかじめ定められている割合のα値を適用する処理を行う請求項１記載の画像情報処理装置。
【請求項５】
特定の物品についての画像情報に、所望の画像情報を重ねあわせて表示する画像情報処理方法であって、
特定の物品の元の画像情報から前記物品の本体部分を透過させて背景のみについての第一のレイヤーを作製する工程、
前記物品の元の画像情報における前記物品の本体色から所定の範囲までの色域範囲選択を行い、更に、当該選択した色域範囲を反転させてコピーした第二のレイヤーを作製する工程、
前記第二のレイヤーを、所定の明るさ及び、所定のコントラストに色調補正して色調補正レイヤーを作製する工程、
前記第二のレイヤーと、前記色調補正レイヤーとを結合して結合レイヤーを作製する工程、
前記結合レイヤーにおける前記第二のレイヤーの透明度を所定割合の透明度にして透明度補正レイヤーを作製する工程、
前記透明度補正レイヤーにおける前記第二のレイヤーの上から前記第一のレイヤーを敷いて加工後テンプレートを作成する工程、
前記加工後テンプレートを、前記所望の画像情報に加算合成して合成後画像情報を作製する工程
を備えている画像情報処理方法。
【請求項６】
前記色域範囲選択は、前記本体部分からサンプリングした本体色からＲ／Ｇ／Ｂそれぞれのチャンネルについて特定の誤差の範囲の色を持つ部分を選択する請求項５記載の画像情報処理方法。
【請求項７】
前記色調補正は、色調値を減少させシャドウ部分を広げる処理、又は、色調値の範囲全体を拡張する処理である請求項５記載の画像情報処理方法。
【請求項８】
前記透明度補正レイヤーを作製する工程は、前記結合レイヤーにおける前記第二の全ピクセルに対してあらかじめ定められている割合のα値を適用する処理である請求項５記載の画像情報処理方法。
【発明の詳細な説明】
【技術分野】
【０００１】
この発明は画像情報処理装置及び画像情報処理方法に関する。
【背景技術】
【０００２】
画像情報処理装置及び画像情報処理方法の技術分野では、よりリアルな画像表現を実現することを目指した提案が従来から行われている。高精度な質感表現や、光源表現を実現しようとするものである。
【０００３】
質感表現の精度を高める目的で質感レイヤを合成する技術がある。これは、イラストレーター（Illustrator）（登録商標）、フォトショップ（Photoshop）（登録商標）で実現されている。質感のテクスチャを合成することで質感表現を行うものである。これを実現しているコンピュータ利用の画像情報処理装置の内部では加算処理や乗算処理が行われている。
【０００４】
例えば、特許文献１では、質感のレイヤを重ねあわせることで質感制御を行ってよりリアルな映像表現を実現するとされている。
【０００５】
また、コンピュータグラフィック技術を活用し、画像情報処理装置の内部でテクスチャ貼りを行い、高速レンダリングする技術もある。
【０００６】
光源合成に関しては、主にゲームで使用されている技術で、光源からの光の光度をα値濃度に変換したものに重ねることで軽量に光源合成を行うものが知られている。
【先行技術文献】
【特許文献】
【０００７】
【特許文献１】特開２０１５−２１１３０６号公報
【発明の概要】
【発明が解決しようとする課題】
【０００８】
従来、画像情報処理において、高精度な質感表現、光源表現を実現しようとする場合には、質感表現と光源表現は別々の処理として二度の合成作業を行っていた。
【０００９】
また、サーバ装置で、エンドユーザから画像情報の提供を受けて質感表現、光源表現の適用を行う場合には、サーバ装置での合成処理が必須になるため、サーバ装置に高い負荷がかかるおそれがあった。
【００１０】
この発明は、画像情報に対して軽量な、簡素な処理を行うだけで、高精度な質感表現及び光源表現を実現できる画像情報処理装置及び画像情報処理方法を提案することを目的にしている。
【課題を解決するための手段】
【００１１】
［１］
特定の物品についての画像情報に、所望の画像情報を重ねあわせて表示する画像情報処理装置であって、
特定の物品の元の画像情報から前記物品の本体部分を透過させて背景のみについての第一のレイヤーを作製する第一レイヤー作製処理部と、
前記物品の元の画像情報における前記物品の本体色から所定の範囲までの色域範囲選択を行い、更に、当該選択した色域範囲を反転させてコピーした第二のレイヤーを作製する第二レイヤー作製処理部と、
前記第二のレイヤーを、所定の明るさ及び、所定のコントラストに色調補正して色調補正レイヤーを作製する色調補正レイヤー作製処理部と、
前記第二のレイヤーと、前記色調補正レイヤーとを結合して結合レイヤーを作製する結合レイヤー作製処理部と、
前記結合レイヤーにおける前記第二のレイヤーの透明度を所定割合の透明度にして透明度補正レイヤーを作製する透明度補正レイヤー作製処理部と、
前記透明度補正レイヤーにおける前記第二のレイヤーの上から前記第一のレイヤーを敷いて加工後テンプレートを作成する加工後テンプレート作製処理部と、
前記加工後テンプレートを、前記所望の画像情報に加算合成して合成後画像情報を作製する合成後画像情報作製処理部と
を備えている画像情報処理装置。
【００１２】
［２］
前記第二レイヤー作製処理部は、前記本体部分からサンプリングした本体色からＲ／Ｇ／Ｂそれぞれのチャンネルについて特定の誤差の範囲の色を持つ部分を選択する［１］の画像情報処理装置。
【００１３】
［３］
前記色調補正レイヤー作製処理部は、色調値を減少させシャドウ部分を広げる処理及び／又は色調値の範囲全体を拡張する処理を行う［１］の画像情報処理装置。
【００１４】
［４］
前記透明度補正レイヤー作製処理部は、前記結合レイヤーにおける前記第二の全ピクセルに対してあらかじめ定められている割合のα値を適用する処理を行う［１］の画像情報処理装置。
【００１５】
［５］
特定の物品についての画像情報に、所望の画像情報を重ねあわせて表示する画像情報処理方法であって、
特定の物品の元の画像情報から前記物品の本体部分を透過させて背景のみについての第一のレイヤーを作製する工程、
前記物品の元の画像情報における前記物品の本体色から所定の範囲までの色域範囲選択を行い、更に、当該選択した色域範囲を反転させてコピーした第二のレイヤーを作製する工程、
前記第二のレイヤーを、所定の明るさ及び、所定のコントラストに色調補正して色調補正レイヤーを作製する工程、
前記第二のレイヤーと、前記色調補正レイヤーとを結合して結合レイヤーを作製する工程、
前記結合レイヤーにおける前記第二のレイヤーの透明度を所定割合の透明度にして透明度補正レイヤーを作製する工程、
前記透明度補正レイヤーにおける前記第二のレイヤーの上から前記第一のレイヤーを敷いて加工後テンプレートを作成する工程、
前記加工後テンプレートを、前記所望の画像情報に加算合成して合成後画像情報を作製する工程
を備えている画像情報処理方法。
【００１６】
［６］
前記色域範囲選択は、前記本体部分からサンプリングした本体色からＲ／Ｇ／Ｂそれぞれのチャンネルについて特定の誤差の範囲の色を持つ部分を選択する［５］の画像情報処理方法。
【００１７】
［７］
前記色調補正は、色調値を減少させシャドウ部分を広げる処理及び／又は色調値の範囲全体を拡張する処理である［５］の画像情報処理方法。
【００１８】
［８］
前記透明度補正レイヤーを作製する工程は、前記結合レイヤーにおける前記第二の全ピクセルに対してあらかじめ定められている割合のα値を適用する処理である［５］の画像情報処理方法。
【発明の効果】
【００１９】
この発明によれば、画像情報に対して軽量な、簡素な処理を行うだけで、高精度な質感表現及び光源表現を実現できる画像情報処理装置及び画像情報処理方法を提供することができる。
【図面の簡単な説明】
【００２０】
【図１】本発明の一実施形態に係る画像情報処理装置の構成概要を説明する概念図。
【図２】本発明の一実施形態に係る画像情報処理方法の処理工程を説明するフロー図。
【図３】本発明の一実施形態に係る画像情報処理方法が適用される前の特定の物品（革製のパスケース）の画像情報を表す参考写真。
【図４】図３図示の画像情報に対して本発明の一実施形態に係る画像情報処理方法が施されることによって作製された加工後テンプレートを表す参考写真。
【図５】本発明の一実施形態に係る画像情報処理方法によって、図４に図示されている加工後テンプレートが加算合成される前の所望の画像情報の一例を表す参考写真。
【図６】本発明の一実施形態に係る画像情報処理方法によって、図４に図示されている加工後テンプレートが図５図示の所望の画像情報に加算合成されて作製された合成後画像情報の一例を表す参考写真。
【発明を実施するための形態】
【００２１】
この実施形態の画像情報処理装置１は、特定の物品についての画像情報に、所望の画像情報を重ねあわせて表示する装置であって、例えば、コンピュータによって構成される。
【００２２】
画像情報処理装置１は、例えば、コンピュータによって構成され、図示していないが、オペレーティングシステムや、インストールあるいはダウンロードした所定のコンピュータプログラムなどに従って、この実施形態の画像情報処理装置、画像情報処理方法の各種機能が実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、更に、ユーザインターフェース、無線通信インターフェースなどを備えていて、これらが必要なバスラインで接続されている。
【００２３】
図１に概略構成を示したこの実施形態の画像情報処理装置１は、情報入力部２、情報出力部３、情報送受信部４、第一のレイヤー作製処理部５、第二のレイヤー作製処理部６、色調補正レイヤー作製処理部７、結合レイヤー作製処理部８、透明度補正レイヤー作製処理部９、加工後テンプレート作製処理部１０、合成後画像情報作製処理部１１、記憶部２０を備えている。なお、以下、本明細書、特許請求の範囲において、第一のレイヤー作製処理部５、第二のレイヤー作製処理部６をそれぞれ第一レイヤー作製処理部５、第二レイヤー作製処理部６と表すことがある。
【００２４】
ユーザインターフェースを構成する情報入力部２は、例えば、キーボードや、マウス、スキャン装置などから構成される。同じく、ユーザインターフェースを構成する情報出力部３は、例えば、コンピュータの表示画面などからなる。
【００２５】
情報送受信部４は、インターネット通信網、無線通信規格で定められている無線通信網、等のネットワーク通信網を介して外部のサーバコンピュータや、本実施形態の画像情報処理方法を利用するユーザなどが使用するコンピュータ、スマートフォンなどの端末と画像情報、等、必用な情報の送受信を行う。
【００２６】
この実施形態の画像情報処理方法を提供する事業者が画像情報処理装置１をインターネット、等のネットワークに接続してサーバ装置とすることで、この実施形態の画像情報処理方法を利用しようとするユーザは、自己が使用しているコンピュータや、スマートフォンなどからインターネット、等のネットワークを介して、この実施形態の画像情報処理方法が提供されるウェブサイトにアクセスしてこの実施形態の画像情報処理方法を使用することができる。
【００２７】
すなわち、本実施形態の画像情報処理方法を利用するユーザは、自己が使用しているコンピュータや、スマートフォンなどが実装しているＷｅｂブラウザにより、インターネット、等のネットワークを介してこの実施形態の画像情報処理方法を提供する事業者が画像情報処理装置１をインターネット、等のネットワークに接続してサーバ装置とすることで開設しているウェブサーバにアクセスし、ウェブブラウザ上で、画像情報処理装置１の記憶部２０に格納されている種々の特定の物品の画像情報に対して、自己が使用しているコンピュータや、スマートフォンなどに記録されている好みの画像情報を重ねあわせる処理を行うことができる。
【００２８】
画像情報処理装置１の第一レイヤー作製処理部５は、特定の物品の元の画像情報から前記物品の本体部分を透過させて背景のみについての第一のレイヤーを作製する。
【００２９】
特定の物品としては、例えば、缶バッジ、ピンバッジなどのアクセサリー、スマートフォンや携帯電話などが収容・装着される携帯端末ケースや、パスケース、名刺入れ、眼鏡ケース、印鑑ケース、ペンケースなどの各種ケース、マグカップ、タンブラーなどの食器・卓上用品類、Ｔ−シャツ、パーカー、ハンカチなどの被服、トートバッグ、ポーチなどの鞄・袋物、マスキングテープ、マウスパッドなどの文具、等、写真、絵などの画像情報が印刷・表示される種々の物品が例示される。
【００３０】
第二レイヤー作製処理部６は、前記物品の元の画像情報における前記物品の本体色から所定の範囲までの色域範囲選択を行い、更に、当該選択した色域範囲を反転させてコピーした第二のレイヤーを作製する。
【００３１】
ここで、第二レイヤー作製処理部６は、前記物品の本体部分からサンプリングした本体色からＲ（赤）／Ｇ（緑）／Ｂ（青）それぞれのチャンネルについて特定の誤差の範囲の色を持つ部分を選択する。例えば、前記物品の本体部分からサンプリングした本体色からＲ（赤）／Ｇ（緑）／Ｂ（青）それぞれのチャンネルについて誤差の範囲７０の色を持つ部分を選択する。
【００３２】
第一レイヤー作製処理部５、第二レイヤー作製処理部６が取り扱う、上述した、特定の物品の元の画像情報としては、図３に参考写真が表されている革製のパスケースの画像情報のように、白色の物品を、通常に写真撮影するように、光源からの光を当てて撮影した画像情報が採用される。
【００３３】
この画像情報は、上述した各物品ごとにあらかじめ作製されて、画像情報処理装置１の記憶部２０に格納されている実施形態にすることができる。
【００３４】
色調補正レイヤー作製処理部７は、前記第二のレイヤーを、所定の明るさ及び、所定のコントラストに色調補正して色調補正レイヤーを作製する。
【００３５】
ここで、色調補正レイヤー作製処理部７は、色調値を減少させシャドウ部分を広げる処理及び／又は色調値の範囲全体を拡張する処理を行う。例えば、フォトショップ（Photoshop）（登録商標）が使用されている場合で、色調値を減少させシャドウ部分を広げる処理と、色調値の範囲全体を拡張する処理との双方を行うときであれば、色調値を減少させシャドウ部分を広げる処理で明るさ−１５０、色調値の範囲全体を拡張する処理でコントラスト１００に色調補正を行う。
【００３６】
結合レイヤー作製処理部８は、前記第二のレイヤーと、前記色調補正レイヤーとを結合して結合レイヤーを作製する。
【００３７】
透明度補正レイヤー作製処理部９は、前記結合レイヤーにおける前記第二のレイヤーの透明度を所定割合の透明度にして透明度補正レイヤーを作製する。
【００３８】
ここで、透明度補正レイヤー作製処理部９は、前記結合レイヤーにおける前記第二の全ピクセルに対してあらかじめ定められている割合のα値を適用する処理を行う。例えば、前記結合レイヤーにおける前記第二の全ピクセルに対して８０％程度のα値を適用する処理を行う。
【００３９】
加工後テンプレート作製処理部１０は、前記透明度補正レイヤーにおける前記第二のレイヤーの上から前記第一のレイヤーを敷いて加工後テンプレートを作成する。
【００４０】
合成後画像情報作製処理部１１は、前記加工後テンプレートを、前記所望の画像情報に加算合成して合成後画像情報を作製する。
【００４１】
作製された合成後画像情報が外観特性レイヤーと評されるもので図６に参考写真が表されている。図６に参考写真が表されている合成後画像情報（外観特性レイヤー）は、上述した特定の物品（図６では図３の参考写真に現されている革製のパスケース）に、本実施形態の画像情報処理方法を利用するユーザが自分の好みの画像情報（この実施形態では図５の参考写真に現されている画像情報）を重ねて表示した際に、どのような光源効果、質感を呈したものになるかを視認、把握できる、光源効果及び質感の両方の情報を保持したものとなる。
【００４２】
次に、上述したこの実施形態の画像情報処理装置１による画像情報処理方法の一例を図２を参照して説明する。
【００４３】
ここでは、図３に参考写真が表されている革製のパスケースの画像情報に、図５に参考写真が示されている、ユーザから提供を受ける画像情報が重ねあわせられて表示される場合で説明する。
【００４４】
まず、第一レイヤー作製処理部５によって、革製のパスケースの元の画像情報から本体部分を透過させて背景のみについての第一のレイヤーが作製される（Ｓ１０１）。
【００４５】
次に、第二レイヤー作製処理部６によって、革製のパスケースの元の画像情報における本体色から所定の範囲までの色域範囲選択が行われる。すなわち、前記物品の本体部分からサンプリングした本体色からＲ（赤）／Ｇ（緑）／Ｂ（青）それぞれのチャンネルについて特定の誤差の範囲の色を持つ部分を選択する処理が行われる。例えば、前記物品の本体部分からサンプリングした本体色からＲ（赤）／Ｇ（緑）／Ｂ（青）それぞれのチャンネルについて誤差の範囲７％程度の色を持つ部分が選択される。例えば、フォトショップ（Photoshop）（登録商標）が使用されている場合ならば、誤差の範囲７０の色を持つ部分が選択される。
【００４６】
更に、当該選択した色域範囲を反転させてコピーした第二のレイヤーが作製される（Ｓ１０２）。
【００４７】
次に、色調補正レイヤー作製処理部７によって、第二のレイヤーが、所定の明るさ及び、所定のコントラストに色調補正される。すなわち、色調値を減少させシャドウ部分を広げる処理及び／又は色調値の範囲全体を拡張する処理が行われる。例えば、フォトショップ（Photoshop）（登録商標）が使用されている場合で、色調値を減少させシャドウ部分を広げる処理と、色調値の範囲全体を拡張する処理との双方を行うときであれば、色調値を減少させシャドウ部分を広げる処理で明るさ−１５０、色調値の範囲全体を拡張する処理でコントラスト１００に色調補正が行われる。こうして色調補正レイヤーが作製される（Ｓ１０３）。
【００４８】
次に、結合レイヤー作製処理部８によって、前記第二のレイヤーと、前記色調補正レイヤーとが結合され、結合レイヤーが作製される（Ｓ１０４）。
【００４９】
次に、透明度補正レイヤー作製処理部９によって、前記結合レイヤーにおける前記第二のレイヤーの透明度を所定割合の透明度にして透明度補正レイヤーが作製される（Ｓ１０５）。すなわち、前記結合レイヤーにおける前記第二の全ピクセルに対してあらかじめ定められている割合のα値を適用する処理が行行われる。例えば、前記結合レイヤーにおける前記第二の全ピクセルに対して８０％程度のα値を適用する処理が行われる。
【００５０】
次に、加工後テンプレート作成処理部１０によって、前記透明度補正レイヤーにおける前記第二のレイヤーの上から前記第一のレイヤーを敷いて加工後テンプレートが作製される（Ｓ１０５）。
【００５１】
この状態が表されているのが図４の参考写真である。
【００５２】
次に、合成後画像情報作製所理部１１が、図４の参考写真に現されている加工後テンプレートを、図５に参考写真が示されている、ユーザから提供を受けた画像情報に加算合成して合成後画像情報を作製する（Ｓ１０６）。
【００５３】
作製された合成後画像情報が外観特性レイヤーと評されるもので、図６に参考写真が現されている。
【００５４】
以上に説明したように、本発明の実施形態によれば、白色の上述した特定の物品を通常の要領で撮影して得ている画像情報から外観特性レイヤーを作製することにより、光源効果及び質感の両方の情報を保持した外観特性レイヤーを作製することができる。
【００５５】
これによって、本実施形態の画像情報処理方法を利用するユーザは、アクセサリーや、端末ケースなど、希望する物品に、自己が使用しているコンピュータや、スマートフォンなどに保存している好みの写真などの画像情報を重ねて表示した際に、どのような光源効果、質感を呈したものになるかを視認、把握することができる。
【００５６】
この際、上述したようにして作成される合成後画像情報（外観特性レイヤー）は、上述したように、合成処理が簡素な単純加算合成によって、被合成画像（すなわち、本実施形態の画像情報処理方法を利用するユーザが、自己が使用しているコンピュータや、スマートフォンなどに保存している好みの写真などの画像情報）に対して質感及び光源効果を持たせたものとなる。
【００５７】
以上に説明したように、本実施形態の画像情報処理装置によって行われる本実施形態の画像情報処理方法は、処理が非常に簡素で、一度の単純加算合成だけで複雑な質感、光源による陰影を表現できる。すなわち、画像情報に対して軽量な、簡素な処理を行うだけで、高精度な質感表現及び光源表現を実現できる。
【００５８】
また、本実施形態の画像情報処理方法を利用するユーザがブラウザ上でリアルタイムにレンダリングすることが可能になる。
【００５９】
更に、光度をα値濃度に変換したものを重ねて表示することで本実施形態における単純加算合成を実現できる。そこで、ブラウザで光度をα値濃度に変換したものを重ねて表示することで、あらゆる画像に対してブラウザのネイティブ速度で質感・光源表現を行うことができる。
【００６０】
本実施形態の画像情報処理装置、画像情報処理方法によれば、サーバ装置で、エンドユーザから画像情報の提供を受けて、上述したように、質感表現、光源表現の適用を行う場合であっても、上述したように、単純加算合成でよいので、サーバ装置に高い負荷がかかることはない。
【００６１】
以上、本発明の実施形態を添付図面を参照して説明したが、本発明は上述した実施形態に限られず、特許請求の範囲の記載から把握される技術的範囲において種々に変更可能である。
【符号の説明】
【００６２】
１    画像情報処理装置
２    情報入力部
３    情報出力部
４    情報送受信部
５    第一のレイヤー作製処理部
６    第二のレイヤー作製処理部
７    色調補正レイヤー作製処理部
８    結合レイヤー作製処理部
９    透明度補正レイヤー作製処理部
１０  加工後テンプレート作製処理部
１１  合成後画像情報作製処理部
２０  記憶部
【図１】
2019139269.tif 000003
【図２】
2019139269.tif 000004
【図３】
2019139269.tif 000005
【図４】
2019139269.tif 000006
【図５】
2019139269.tif 000007
【図６】
2019139269.tif 000008